(57)【特許請求の範囲】
【請求項１】
変形できるＬＥＤ照明設備であって、固定台と前記固定台の内部にある固定溝とを含み、前記固定溝が上方へ開いており、前記固定溝の中には水晶台座がスライド可能に設置され、前記水晶台座の左右端壁の中には前記固定溝の左右端壁に固定的に設置された電気接続ポイントと協働する電気接続シートが対称に設置され、前記電気接続ポイントと前記電気接続シートとが当接すると、前記水晶台座の内部にある蓄電池が充電され、前記水晶台座の頂壁には上方に伸びた支持棒が固定的に設置され、前記支持棒の頂部末端には押しブロックが固定的に設置され、前記支持棒の中には位置制限溝が形成され、前記支持棒の外表面には前記支持棒に沿って上下にスライドできるシェードが設置され、前記シェードの中には下方に開口した照明空間が設置され、前記照明空間の頂壁の中には前記シェードを貫通した第一ネジ山穴が設置され、前記第一ネジ山穴の中には第一ネジ山棒がネジ山により連結され、前記第一ネジ山棒と前記押しブロックの底壁の中に固定的に設置された第一モータとが伝動可能に連結され、前記照明空間の頂壁の中には照明できる四つの照明灯が中心対称に設置され、前記固定溝の端壁の中には前記水晶台座をロックできるロック装置が設置され、前記ロック装置は前記水晶台座が前記固定溝の中に挿入された時に前記水晶台座をロックすることができ、前記シェードが下方へ移動して前記固定台の上方にスライド可能に設置された押し板と当接すると、前記ロック装置が前記水晶台座のロックを解除し、この時前記照明灯が前記水晶台座の底壁の中に形成された挿入溝の中に挿入され、この時前記押しブロックの中に設置された吊上げ装置と協働して前記押しブロックを任意位置に吊り上げて照明に便利を与える事ができ、前記固定台の底壁には三つの支脚がヒンジで連結され、前記固定台の下方には上下にスライドできる支持ブロックが設置され、前記支持ブロックと前記支脚との間にはリンクがヒンジで連結され、前記固定台の底壁の中に設置された上げ装置は前記支持ブロックを上下に連動させることで前記照明灯の高さを便利に調整でき、前記固定台の底壁の中に設置されたスライド空間と前記固定溝との間には洗浄装置が設置され、前記洗浄装置は前記水晶台座の底部を洗浄でき、
前記ロック装置は前記固定台の頂壁の中に左右対称に設置された第一スライド穴を含み、前記第一スライド穴は上方へ開いており、前記第一スライド穴の中には前記押し板と固定的に連結された第一ラックがスライド可能に設置され、前記押し板と前記固定台との間には前記第一ラックを包む第一ばねが設置され、前記第一スライド穴において前記固定溝に近接した側の端壁の中には前記第一スライド穴と連通した回転空間が設置され、前記回転空間の中には第一回転軸が回転可能に設置され、前記第一回転軸の外表面には前記第一ラックと噛み合った前後二つの第一歯車と、前後二つの前記第一歯車の間に設置されたリールとが固定的に設置され、前記固定溝の頂壁の中には対向に開口した第二スライド穴が設置され、前記第二スライド穴の中にはロック棒がスライド可能に設置され、前記ロック棒と前記第二スライド穴の端壁との間には第二ばねが設置され、前記リールの外表面には末端が前記ロック棒と固定的に連結された引縄が巻き付いており、前記第一ラックが下方へ移動すると前記第一歯車が連動して回転し、したがって前記リールが連動して回転し前記引き縄を巻き、したがって前記ロック棒が引かれて前記第二スライド穴の中に入り、前記水晶台座のロックが解除され、
前記吊上げ装置は、前記押しブロックの中に設置された収納溝を含み、前記収納溝の中にはスライド板がスライド可能に設置され、前記スライド板と前記収納溝の頂壁との間には左右対称の第三ばねが設置され、前記スライド板の頂壁にはフックが固定的に設置され、前記収納溝の底壁の中には上方に開口した第三スライド穴が左右対称に設置され、前記第三スライド穴の中には第二ラックがスライド可能に設置され、前記押しブロックの底壁の中には下方に開口した第四スライド穴が左右対称に設置され、前記第四スライド穴の中には第三ラックがスライド可能に設置され、前記第四スライド穴と前記第三スライド穴との間には歯車空間が連通するように設置され、前記歯車空間の中には前記第二ラック及び前記第三ラックと噛み合った第二歯車が回転可能に設置され、
前記上げ装置は、前記支持ブロックの中に設置された上下貫通の第二ネジ山穴を含み、前記第二ネジ山穴の中には第二ネジ山棒がねじ山により連結され、前記第二ネジ山棒の頂部末端が前記スライド空間の中に延びており且つ前記第二ネジ山棒の頂部末端にはスプラインスリーブが固定的に設置され、前記スライド空間の中にはスライドブロックがスライド可能に設置され、前記スライドブロックの中には第二モータが固定的に設置され、前記第二モータの出力軸の末端が前記スプラインスリーブの中に延びており且つ前記スプラインスリーブとスプラインにより連結され、前記スライド空間と前記第一スライド穴との間には噛合空間が連通するように設置され、前記噛合空間の中には前記第一ラックと、前記スライドブロックの左右端壁に固定的に設置された第四ラックと噛み合った第三歯車が回転可能に設置され、
前記洗浄装置は、前記固定溝と前記スライド空間との間には回転可能に設置された第二回転軸を含み、前記第二回転軸の中には上下貫通のスプライン穴が設置され、前記スプライン穴の中にはスプライン軸がスプラインにより連結され、前記スプライン軸の頂部末端と前記固定溝の中にスライド可能に設置された洗浄ブロックとが固定的に連結され、前記洗浄ブロックと前記固定溝の底壁との間には第四ばねが左右対称に設置されていることを特徴とする変形できるＬＥＤ照明設備。
【発明の詳細な説明】
【技術分野】
【０００１】
本願発明はＬＥＤ照明設備分野に関し、具体的には変形できるＬＥＤ照明設備に関する。
【背景技術】
【０００２】
照明灯具は現在、人々の日常生活に欠かせない存在となり、需要量が非常に大きい。従来の照明設備は電気スタンドとシーリングランプのいずれかとしてしか使用できず、両者の長所を合わせることを実現できない。例えば、従来、電気スタンドの移動が不便で、対してシーリングランプの照明範囲が広くて光汚染を招く恐れがある。変形できるＬＥＤ照明設備によって上記問題を解決できる。
【先行技術文献】
【特許文献】
【０００３】
【特許文献１】中国特許出願公開第１０５０４２４７８号明細書
【発明の概要】
【発明が解決しようとする課題】
【０００４】
技術問題：本願発明の目的は変形できるＬＥＤ照明設備を提供して上記問題を解決して照明設備の実用性を改善する。
【課題を解決するための手段】
【０００５】
変形できるＬＥＤ照明設備であって、固定台と前記固定台の内部にある固定溝とを含み、前記固定溝が上方へ開いており、前記固定溝の中には水晶台座がスライド可能に設置され、前記水晶台座の左右端壁の中には前記固定溝の左右端壁に固定的に設置された電気接続ポイントと協働する電気接続シートが対称に設置され、前記電気接続ポイントと前記電気接続シートとが当接すると、前記水晶台座の内部にある蓄電池が充電され、前記水晶台座の頂壁には上方に伸びた支持棒が固定的に設置され、前記支持棒の頂部末端には押しブロックが固定的に設置され、前記支持棒の中には位置制限溝が形成され、前記支持棒の外表面には前記支持棒に沿って上下にスライドできるシェードが設置され、前記シェードの中には下方に開口した照明空間が設置され、前記照明空間の頂壁の中には前記シェードを貫通した第一ネジ山穴が設置され、前記第一ネジ山穴の中には第一ネジ山棒がネジ山により連結され、前記第一ネジ山棒と前記押しブロックの底壁の中に固定的に設置された第一モータとが伝動可能に連結され、前記照明空間の頂壁の中には照明できる四つの照明灯が中心対称に設置され、前記固定溝の端壁の中には前記水晶台座をロックできるロック装置が設置され、前記ロック装置は前記水晶台座が前記固定溝の中に挿入された時に前記水晶台座をロックすることができ、前記シェードが下方へ移動して前記固定台の上方にスライド可能に設置された押し板と当接すると、前記ロック装置が前記水晶台座のロックを解除し、この時前記照明灯が前記水晶台座の底壁の中に形成された挿入溝の中に挿入され、この時前記押しブロックの中に設置された吊上げ装置と協働して前記押しブロックを任意位置に吊り上げて照明に便利を与える事ができ、前記固定台の底壁には三つの支脚がヒンジで連結され、前記固定台の下方には上下にスライドできる支持ブロックが設置され、前記支持ブロックと前記支脚との間にはリンクがヒンジで連結され、前記固定台の底壁の中に設置された上げ装置は前記支持ブロックを上下に連動させることで前記照明灯の高さを便利に調整でき、前記固定台の底壁の中に設置されたスライド空間と前記固定溝との間には洗浄装置が設置され、前記洗浄装置は前記水晶台座の底部を洗浄できる。
【０００６】
有益的に、前記ロック装置は前記固定台の頂壁の中に左右対称に設置された第一スライド穴を含み、前記第一スライド穴は上方へ開いており、前記第一スライド穴の中には前記押し板と固定的に連結された第一ラックがスライド可能に設置され、前記押し板と前記固定台との間には前記第一ラックを包む第一ばねが設置され、前記第一スライド穴において前記固定溝に近接した側の端壁の中には前記第一スライド穴と連通した回転空間が設置され、前記回転空間の中には第一回転軸が回転可能に設置され、前記第一回転軸の外表面には前記第一ラックと噛み合った前後二つの第一歯車と、前後二つの前記第一歯車の間に設置されたリールとが固定的に設置され、前記固定溝の頂壁の中には対向に開口した第二スライド穴が設置され、前記第二スライド穴の中にはロック棒がスライド可能に設置され、前記ロック棒と前記第二スライド穴の端壁との間には第二ばねが設置され、前記リールの外表面には末端が前記ロック棒と固定的に連結された引縄が巻き付いており、前記第一ラックが下方へ移動すると前記第一歯車が連動して回転し、したがって前記リールが連動して回転し前記引き縄を巻き、したがって前記ロック棒が引かれて前記第二スライド穴の中に入り、前記水晶台座のロックが解除される。
【０００７】
有益的には、前記吊上げ装置は、前記押しブロックの中に設置された収納溝を含み、前記収納溝の中にはスライド板がスライド可能に設置され、前記スライド板と前記収納溝の頂壁との間には左右対称の第三ばねが設置され、前記スライド板の頂壁にはフックが固定的に設置され、前記収納溝の底壁の中には上方に開口した第三スライド穴が左右対称に設置され、前記第三スライド穴の中には第二ラックがスライド可能に設置され、前記押しブロックの底壁の中には下方に開口した第四スライド穴が左右対称に設置され、前記第四スライド穴の中には第三ラックがスライド可能に設置され、前記第四スライド穴と前記第三スライド穴との間には歯車空間が連通するように設置され、前記歯車空間の中には前記第二ラック及び前記第三ラックと噛み合った第二歯車が回転可能に設置されている。
【０００８】
有益的には、前記上げ装置は、前記支持ブロックの中に設置された上下貫通の第二ネジ山穴を含み、前記第二ネジ山穴の中には第二ネジ山棒がねじ山により連結され、前記第二ネジ山棒の頂部末端が前記スライド空間の中に延びており且つ前記第二ネジ山棒の頂部末端にはスプラインスリーブが固定的に設置され、前記スライド空間の中にはスライドブロックがスライド可能に設置され、前記スライドブロックの中には第二モータが固定的に設置され、前記第二モータの出力軸の末端が前記スプラインスリーブの中に延びており且つ前記スプラインスリーブとスプラインにより連結され、前記スライド空間と前記第一スライド穴との間には噛合空間が連通するように設置され、前記噛合空間の中には前記第一ラックと、前記スライドブロックの左右端壁に固定的に設置された第四ラックと噛み合った第三歯車が回転可能に設置されている。
【０００９】
有益的に、前記洗浄装置は、前記固定溝と前記スライド空間との間には回転可能に設置された第二回転軸を含み、前記第二回転軸の中には上下貫通のスプライン穴が設置され、前記スプライン穴の中にはスプライン軸がスプラインにより連結され、前記スプライン軸の頂部末端と前記固定溝の中にスライド可能に設置された洗浄ブロックとが固定的に連結され、前記洗浄ブロックと前記固定溝の底壁との間には第四ばねが左右対称に設置されている。
【発明の効果】
【００１０】
本願発明の有益効果は：本願発明の変形できるＬＥＤ照明設備は電気スタンドモードやシーリングランプモードの間に便利に切り替えることができると同時に、電気スタンドモードのときは自動的に充電するとともに、照明部分の高さを調節することもでき、使用者の照明需要に対応する。また、水晶台座を自動的に洗浄でき、透明度を維持させて美観を保証する。
【図面の簡単な説明】
【００１１】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１２】
【図１】図１は本願発明の全体構成図
【図２】図２は図１におけるＢの拡大構成図
【図３】図３は図１におけるＡの拡大構成図
【図４】図４は図１におけるＣ―Ｃの構成図
【発明を実施するための形態】
【００１３】
図１〜４の示したように、変形できるＬＥＤ照明設備であって、固定台１０と前記固定台１０の内部にある固定溝２９とを含み、前記固定溝２９が上方へ開いており、前記固定溝２９の中には水晶台座２８がスライド可能に設置され、前記水晶台座２８の左右端壁の中には前記固定溝２９の左右端壁に固定的に設置された電気接続ポイント５０と協働する電気接続シート５１が対称に設置され、前記電気接続ポイント５０と前記電気接続シート５１とが当接すると、前記水晶台座２８の内部にある蓄電池が充電され、前記水晶台座２８の頂壁には上方に伸びた支持棒３１が固定的に設置され、前記支持棒３１の頂部末端には押しブロック３６が固定的に設置され、前記支持棒３１の中には位置制限溝６３が形成され、前記支持棒３１の外表面には前記支持棒３１に沿って上下にスライドできるシェード６０が設置され、前記シェード６０の中には下方に開口した照明空間６２が設置され、前記照明空間６２の頂壁の中には前記シェード６０を貫通した第一ネジ山穴３３が設置され、前記第一ネジ山穴３３の中には第一ネジ山棒３２がネジ山により連結され、前記第一ネジ山棒３２と前記押しブロック３６の底壁の中に固定的に設置された第一モータ３４とが伝動可能に連結され、前記照明空間６２の頂壁の中には照明できる四つの照明灯６１が中心対称に設置され、前記固定溝２９の端壁の中には前記水晶台座２８をロックできるロック装置９９が設置され、前記ロック装置９９は前記水晶台座２８が前記固定溝２９の中に挿入された時に前記水晶台座２８をロックすることができ、前記シェード６０が下方へ移動して前記固定台１０の上方にスライド可能に設置された押し板３０と当接すると、前記ロック装置９９が前記水晶台座２９のロックを解除し、この時前記照明灯６１が前記水晶台座２８の底壁の中に形成された挿入溝５２の中に挿入され、この時前記押しブロック３６の中に設置された吊上げ装置９８と協働して前記押しブロック３６を任意位置に吊り上げて照明に便利を与える事ができ、前記固定台１０の底壁には三つの支脚１８がヒンジで連結され、前記固定台１０の下方には上下にスライドできる支持ブロック１７が設置され、前記支持ブロック１７と前記支脚１８との間にはリンク１５がヒンジで連結され、前記固定台１０の底壁の中に設置された上げ装置９７は前記支持ブロック１７を上下に連動させることで前記照明灯６１の高さを便利に調整でき、前記固定台１０の底壁の中に設置されたスライド空間１４と前記固定溝２９との間には洗浄装置９６が設置され、前記洗浄装置９６は前記水晶台座２８の底部を洗浄できる。
【００１４】
有益的には、前記ロック装置９９は前記固定台１０の頂壁の中に左右対称に設置された第一スライド穴５３を含み、前記第一スライド穴５３は上方へ開いており、前記第一スライド穴５３の中には前記押し板３０と固定的に連結された第一ラック５８がスライド可能に設置され、前記押し板３０と前記固定台１０との間には前記第一ラック５８を包む第一ばね５９が設置され、前記第一スライド穴５３において前記固定溝２９に近接した側の端壁の中には前記第一スライド穴５３と連通した回転空間５４が設置され、前記回転空間５４の中には第一回転軸５６が回転可能に設置され、前記第一回転軸５６の外表面には前記第一ラック５８と噛み合った前後二つの第一歯車５７と、前後二つの前記第一歯車５７の間に設置されたリール５５とが固定的に設置され、前記固定溝２９の頂壁の中には対向に開口した第二スライド穴４８が設置され、前記第二スライド穴４８の中にはロック棒４９がスライド可能に設置され、前記ロック棒４９と前記第二スライド穴４８の端壁との間には第二ばね４７が設置され、前記リール５５の外表面には末端が前記ロック棒４９と固定的に連結された引縄４６が巻き付いており、前記第一ラック５８が下方へ移動すると前記第一歯車５７が連動して回転し、したがって前記リール５５が連動して回転し前記引き縄４６を巻き、したがって前記ロック棒４９が引かれて前記第二スライド穴４８の中に入り、前記水晶台座２８のロックが解除される。
【００１５】
有益的には、前記吊上げ装置９８は、前記押しブロック３６の中に設置された収納溝３５を含み、前記収納溝３５の中にはスライド板３８がスライド可能に設置され、前記スライド板３８と前記収納溝３５の頂壁との間には左右対称の第三ばね３９が設置され、前記スライド板３８の頂壁にはフック３７が固定的に設置され、前記収納溝３５の底壁の中には上方に開口した第三スライド穴４０が左右対称に設置され、前記第三スライド穴４０の中には第二ラック４１がスライド可能に設置され、前記押しブロック３６の底壁の中には下方に開口した第四スライド穴４３が左右対称に設置され、前記第四スライド穴４３の中には第三ラック４２がスライド可能に設置され、前記第四スライド穴４３と前記第三スライド穴４０との間には歯車空間４５が連通するように設置され、前記歯車空間４５の中には前記第二ラック４１及び前記第三ラック４２と噛み合った第二歯車４４が回転可能に設置されている。
【００１６】
有益的には、前記上げ装置９７は、前記支持ブロック１７の中に設置された上下貫通の第二ネジ山穴１６を含み、前記第二ネジ山穴１６の中には第二ネジ山棒１９がねじ山により連結され、前記第二ネジ山棒１９の頂部末端が前記スライド空間１４の中に延びており且つ前記第二ネジ山棒１９の頂部末端にはスプラインスリーブ２０が固定的に設置され、前記スライド空間１４の中にはスライドブロック１３がスライド可能に設置され、前記スライドブロック１３の中には第二モータ２１が固定的に設置され、前記第二モータ２１の出力軸の末端が前記スプラインスリーブ２０の中に延びており且つ前記スプラインスリーブ２０とスプラインにより連結され、前記スライド空間１４と前記第一スライド穴５３との間には噛合空間１２が連通するように設置され、前記噛合空間１２の中には前記第一ラック５８と、前記スライドブロック１３の左右端壁に固定的に設置された第四ラック２２と噛み合った第三歯車１１が回転可能に設置されている。
【００１７】
有益的には、前記洗浄装置９６は、前記固定溝２９と前記スライド空間１４との間には回転可能に設置された第二回転軸２５を含み、前記第二回転軸２５の中には上下貫通のスプライン穴２４が設置され、前記スプライン穴２４の中にはスプライン軸２３がスプラインにより連結され、前記スプライン軸２３の頂部末端と前記固定溝２９の中にスライド可能に設置された洗浄ブロック２７とが固定的に連結され、前記洗浄ブロック２７と前記固定溝２９の底壁との間には第四ばね２６が左右対称に設置されている。
【００１８】
本実施例の前記固定連結方法はボルト固定、溶接などを含むが、これらに限られていない。
【００１９】
図１〜４の示したように、本願発明は初期状態の時、前記第二モータ２１の出力軸と前記スプラインスリーブ２０とがスプラインにより連結され、前記第四ばね２６が圧縮状態にあり、前記第三ばね３９が引張状態にある。
【００２０】
装置全体の機械動作の順序：本願発明の設備は作動する時、前記照明灯６１を起動し、この時本願発明は電気スタンドモードであり、また前記電気接続ポイント５０が前記電気接続シート５１と当接しており、この時前記洗浄ブロック２７の中に設置され且つ前記照明灯６１に給電できる蓄電池に充電し、前記照明灯６１の高さを調整する時、前記第二モータ２１を起動して前記スプラインスリーブ２０の回転を連動させ、前記第二ネジ山棒１９が回転して前記支持ブロック１７を移動連動させ、前記支持ブロック１７の移動に連動して前記リンク１５が移動して前記支脚１８を開くまたは閉じることによって、前記固定台１０の高さが調節され、前記照明灯６１の高さが調節される。照明位置を移動する時、前記第一モータ３４を起動して第一ネジ山棒３２の回転を連動させることで、前記シェード６０が下方へ移動して前記押し板３０と当接すると、前記押し板３０が前記第一ラック５８を下方へ連動させ、したがって前記第一歯車５７が連動して回転して前記リール５５を回転連動させて前記引縄４６を巻き、したがって前記ロック棒４９が引かれて前記第二スライド穴４８の中に入り、前記水晶台座２８のロックが解除されると同時に、前記第一ラック５８が下方へ移動して前記スライドブロック１３を上方へ連動させることで、前記第二モータ２１の出力軸が前記スプライン穴２４の中に挿入され、この時前記第二モータ２１を起動して前記第二回転軸２５の回転を連動させることで、前記スプライン軸２３が回転して前記洗浄ブロック２７を回転連動させ、したがって前記水晶台座２８の底壁が洗浄され、前記シェード６０が下方へ移動するにしたがい、前記照明灯６１が下方へ移動して前記挿入溝５２の中に挿入され、前記シェード６０が下方へ移動した後、前記第三ラック４２が当接しなくなり、この時前記第三ばね３９が前記スライド板３８を上方へ連動させることで、前記フック３７が前記押しブロック３６の外部まで伸び出し、この時前記フック３７によって前記押しブロック３６を任意位置に吊り上げることができ、この時前記照明灯６１はシーリングランプとして使用できる。
【００２１】
上記方式により、本分野の当業者は本願発明の範囲内に作動パターンにより各種な変化を実行できる。
【要約】
【課題】本発明は変形できるＬＥＤ照明設備を開示した。
【解決手段】固定台と前記固定台の内部にある固定溝とを含み、前記固定溝が上方へ開いており、前記固定溝の中には水晶台座がスライド可能に設置され、前記水晶台座の左右端壁の中には前記固定溝の左右端壁に固定的に設置された電気接続ポイントと協働する電気接続シートが対称に設置され、前記電気接続ポイントと前記電気接続シートとが当接すると、前記水晶台座の内部にある蓄電池が充電され、前記水晶台座の頂壁には上方に伸びた支持棒が固定的に設置され、前記支持棒の頂部末端には押しブロックが固定的に設置され、前記支持棒の中には位置制限溝が形成され、前記支持棒の外表面には前記支持棒に沿って上下にスライドできるシェードが設置される。
【選択図】図１【図１】
0006814351.tif 000002
【図２】
0006814351.tif 000003
【図３】
0006814351.tif 000004
【図４】
0006814351.tif 000005